(57)【要約】【課題】ベッドの差込式サイドレールにおいて、ヘッドボードとの間に、身体が挟まれる危険性がある隙間を生じないようにすると共に、がたつきを軽減することを目的とする。【解決手段】本発明では、サイドレール３の下側に支持棒体４を突設すると共に、ベッド１側に上記支持棒体を差し込んで支持する差込支持部５を設けた構成において、ボード２の側部に第２の差込支持部８を設けると共に、この第２の差込支持部に対応して、サイドレールに第２の支持棒体９を突設したベッドの差込式サイドレール装置を提案する。【選択図】図２
2010069180.tif 000002
【特許請求の範囲】
【請求項１】
サイドレールの下側に支持棒体を突設すると共に、ベッド側に上記支持棒体を差し込んで支持する差込支持部を設けた構成において、ボードの側部に第２の差込支持部を設けると共に、この第２の差込支持部に対応して、サイドレールに第２の支持棒体を突設したことを特徴とするベッドの差込式サイドレール装置。
【請求項２】
第２の差込支持部は、第２の支持棒体の差込・抜取方向を上下方向に配置したことを特徴とする請求項１に記載のベッドの差込式サイドレール装置。
【請求項３】
第２の差込支持部は、第２の支持棒体の差込支持位置を、ベッドの長手方向に複数配置したことを特徴とする請求項２に記載のベッドの差込式サイドレール装置。
【請求項４】
第２の差込支持部は、ボードの側部の床部側に配置した上下方向の長穴として構成し、第２の支持棒体は、サイドレールの側部から、その長さ方向に横側に突設したことを特徴とする請求項１に記載のベッドの差込式サイドレール装置。
【請求項５】
第２の差込支持部は、ボードの側部の外側に配置し、第２の支持棒体の差込・抜取方向を、ボードの幅方向に配置すると共に、第２の支持棒体は、サイドレールの側部から、その長さ方向に直交する横側に突設したことを特徴とする請求項１に記載のベッドの差込式サイドレール装置。
【請求項６】
サイドレールの下側に支持棒体を突設すると共に、ベッド側に上記支持棒体を差し込んで支持する差込支持部を設けた構成において、ボードの側部にフック状部を構成し、サイドレールには、このフック状部に掛合する掛合部位を構成していることを特徴とするベッドの差込式サイドレール装置。
【請求項７】
フック状部は、その掛合・解除方向を上下方向に配置していることを特徴とする請求項６に記載のベッドの差込式サイドレール装置。
【請求項８】
フック状部は、その掛合・解除方向をベッドの長手方向に配置していることを特徴とする請求項６に記載のベッドの差込式サイドレール装置。
【請求項９】
フック状部は、ボードの側部にフック状部材を取り付けて構成したことを特徴とする請求項６〜８のいずれか１項に記載のベッドの差込式サイドレール装置。
【請求項１０】
フック状部は、ボードの側部自体に形成したことを特徴とする請求項６〜８のいずれか１項に記載のベッドの差込式サイドレール装置。
【請求項１１】
サイドレールの下側に支持棒体を突設すると共に、ベッド側に上記支持棒体を差し込んで支持する差込支持部を設けた構成において、ボードの側部の床部側に、サイドレールの側部部位を装着する支持溝部を設けたことを特徴とするベッドの差込式サイドレール装置。
【請求項１２】
支持溝部は、ボードの幅方向に複数配置したことを特徴とする請求項１１に記載のベッドの差込式サイドレール装置。
【請求項１３】
支持溝部は、ベッドの長手方向に複数配置したことを特徴とする請求項１１に記載のベッドの差込式サイドレール装置。
【請求項１４】
支持溝部を、ボードの側部を貫く貫通長溝として構成したことを特徴とする請求項１１〜１３のいずれか１項に記載のベッドの差込式サイドレール装置。
【請求項１５】
支持溝部を、ボードの側部の床部側に加えて、外側にも構成し、支持溝部を装着するサイドレールの側部部位は棒体として構成していることを特徴とする請求項１１〜１３のいずれか１項に記載のベッドの差込式サイドレール装置。
【請求項１６】
支持溝部は、溝部材をボードの側部に旋回可能に設けて構成したことを特徴とする請求項１１に記載のベッドの差込式サイドレール装置。
【発明の詳細な説明】
【技術分野】
【０００１】
本発明は、ベッドの差込式サイドレールに関し、特にヘッドボードとの間に、身体が挟まれる危険性がある隙間を生じないようにすると共に、がたつきを軽減することができる差込式サイドレール装置に関するものである。
【背景技術】
【０００２】
医療施設や在宅看護の場で使用するベッドのサイドレールとしては各種方式のものが従来から提供されているが、このうち、サイドレールの下側に支持棒体を突設し、この支持棒体をベッド側に設けた差込支持部に差し込んで支持する方式の差込式サイドレールは、構成が複雑でなく、扱いやすいため、広く使用されている。
【０００３】
ところが、差込式サイドレールでは、一般に、その周辺等に隙間が生じるため、ベッド使用者の身体能力によっては、隙間に身体の一部が挟まれてしまうことがある。特に、サイドレールとヘッドボードとの間に生じる隙間は、頭側に存在するため重大事故につながる恐れが高い。
【０００４】
また差込式サイドレールは、下側に突設した支持棒体をベッド側に設けた差込支持部に差し込んで支持するという構成であることから、がたつきが必ず存在し、がたつきによって上述した隙間が広がることにより危険性がより高くなる場合がある。
【０００５】
差込式サイドレールによる隙間に対する従来技術として、例えば、特許文献１や特許文献２では、サイドレールの横側に伸縮可能な伸長部を構成して、この伸長部を、ボードとの距離に応じてサイドレールから伸長させることにより隙間を小さくしている。
【０００６】
また特許文献３では、サイドレールの側部とヘッドボードとの間の隙間の大きさに応じて、サイドレールの側部にカバーを固定することにより隙間を小さくしている。
【０００７】
一方、他の方式のサイドレールを示す従来技術として、特許文献４や特許文献５では、ベッドのヘッドボードとフットボード間に上部横桟部材と下部横桟部材を設け、下部横桟部材はベッド本体に固定し、上部横桟部材を昇降可能に支持すると共に、これらの上部横桟部材と下部横桟部材間に、スクリーン部材や伸縮支柱等の変形可能な部材を設けた全面柵方式のサイドレールがあり、これらの方式のサイドレールでは、上記隙間やがたつきは生じないが、不使用時に容易に取り外すことはできず、利便性が悪く、また複雑な機構が必要となる。
【特許文献１】特開２００６−２０４７４３号公報
【特許文献２】特開平８−２４３１２７号公報
【特許文献３】特開２００５−１６０５８３号公報
【特許文献４】特開２０００−５１２８４号公報
【特許文献５】特開２０００−１２６２４９号公報
【発明の開示】
【発明が解決しようとする課題】
【０００８】
特許文献１や特許文献２に示されるように、サイドレールの横側に伸縮可能な伸長部を構成して、この伸長部を、ボードとの距離に応じてサイドレールから伸縮させて調節可能とした構成や、特許文献３に示されるように、サイドレールの側部とヘッドボードとの間の隙間の大きさに応じて、サイドレールの側部にカバーを固定した構成、即ち、サイドレールの全幅を調節可能とする構成では、隙間を非常に小さく調節することもできるが、がたつきの問題は解消されておらず、隙間を小さく調節しても、がたつきにより広がって危険となる恐れがある。即ち、以上の特許文献に示されるような差込式サイドレールの構成では、ボードとの隙間を完全に無くすことはできない。
【０００９】
また上述したように、特許文献４や特許文献５に示されるような全面柵方式のサイドレールでは、上記隙間やがたつきは生じないが、不使用時に容易に取り外すことはできず、利便性が悪く、また複雑な機構が必要となる。
本発明は、以上の点に鑑みて創案されたもので、即ち、ベッドの差込式サイドレールにおいて、ボード、特に、ヘッドボードとの間に、身体が挟まれる危険性がある隙間を生じないようにすると共に、がたつきを軽減することができる差込式サイドレール装置を提供することを目的とするものである。
【課題を解決するための手段】
【００１０】
上述した課題を解決するために、本発明では、まず、サイドレールの下側に支持棒体を突設すると共に、ベッド側に上記支持棒体を差し込んで支持する差込支持部を設けた構成において、ボードの側部に第２の差込支持部を設けると共に、この第２の差込支持部に対応して、サイドレールに第２の支持棒体を突設した構成のベッドの差込式サイドレール装置を提案する。
【００１１】
そして本発明では、上記の構成において、第２の差込支持部は、第２の支持棒体の差込・抜取方向を上下方向に配置したベッドの差込式サイドレール装置を提案する。
【００１２】
また本発明では、上記の構成において、第２の差込支持部は、第２の支持棒体の差込支持位置を、ベッドの長手方向に複数配置したベッドの差込式サイドレール装置を提案する。
【００１３】
また本発明では、上記の構成において、第２の差込支持部は、ボードの側部の床部側に配置した上下方向の長穴として構成し、第２の支持棒体は、サイドレールの側部から、その長さ方向に横側に突設したベッドの差込式サイドレール装置を提案する。
【００１４】
また本発明では、上記の構成において、第２の差込支持部は、ボードの側部の外側に配置し、第２の支持棒体の差込・抜取方向を、ボードの幅方向に配置すると共に、第２の支持棒体は、サイドレールの側部から、その長さ方向に直交する横側に突設したベッドの差込式サイドレール装置を提案する。
【００１５】
また本発明では、サイドレールの下側に支持棒体を突設すると共に、ベッド側に上記支持棒体を差し込んで支持する差込支持部を設けた構成において、ボードの側部にフック状部を構成し、サイドレールには、このフック状部に掛合する掛合部位を構成しているベッドの差込式サイドレール装置を提案する。
【００１６】
また本発明では、上記の構成において、フック状部は、その掛合・解除方向を上下方向に配置しているベッドの差込式サイドレール装置を提案する。
【００１７】
また本発明では、上記の構成において、フック状部は、その掛合・解除方向をベッドの長手方向に配置しているベッドの差込式サイドレール装置を提案する。
【００１８】
また本発明では、上記の構成において、フック状部は、ボードの側部にフック状部材を取り付けて構成したベッドの差込式サイドレール装置を提案する。
【００１９】
また本発明では、上記の構成において、フック状部は、ボードの側部自体に形成したベッドの差込式サイドレール装置を提案する。
【００２０】
また本発明では、サイドレールの下側に支持棒体を突設すると共に、ベッド側に上記支持棒体を差し込んで支持する差込支持部を設けた構成において、ボードの側部の床部側に、サイドレールの側部部位を装着する支持溝部を設けたベッドの差込式サイドレール装置を提案する。
【００２１】
そして本発明では、上記の構成において、支持溝部は、ボードの幅方向に複数配置したベッドの差込式サイドレール装置を提案する。
【００２２】
また本発明では、上記の構成において、支持溝部は、ベッドの長手方向に複数配置したベッドの差込式サイドレール装置を提案する。
【００２３】
また本発明では、上記の構成において、支持溝部を、ボードの側部を貫く貫通長溝として構成したベッドの差込式サイドレール装置を提案する。
【００２４】
また本発明では、上記の構成において、支持溝部を、ボードの側部の床部側に加えて、外側にも構成し、支持溝部を装着するサイドレールの側部部位は棒体として構成しているベッドの差込式サイドレール装置を提案する。
【００２５】
また本発明では、上記の構成において、支持溝部は、溝部材をボードの側部に旋回可能に設けて構成したベッドの差込式サイドレール装置を提案する。
【発明の効果】
【００２６】
本発明の差込式サイドレール装置、特に、ボードの側部に第２の差込支持部を設けると共に、この第２の差込支持部に対応して、サイドレールに第２の支持棒体を突設した構成においては、サイドレールに突設した支持棒体をベッド側に設けた差込支持部に差し込んで支持する際に、サイドレールに突設した第２の支持棒体をボードの側部に設けた第２の差込支持部に同時に差し込んで支持する。
【００２７】
この場合、第２の差込支持部は、第２の支持棒体の差込・抜取方向を上下方向に配置した構成、第２の差込支持部は、ボードの側部の床部側に配置した上下方向の長穴として構成し、第２の支持棒体は、サイドレールの側部から、その長さ方向に横側に突設した構成、及び第２の差込支持部は、ボードの側部の外側に配置し、第２の支持棒体の差込・抜取方向を、ボードの幅方向に配置すると共に、第２の支持棒体は、サイドレールの側部から、その長さ方向に直交する横側に突設した構成が可能であり、夫々の構成において、所定の手順により、サイドレールに突設した支持棒体をベッド側に設けた差込支持部に差し込んで支持すると共に、サイドレールに突設した第２の支持棒体をボードの側部に設けた第２の差込支持部に差し込んで支持することができる。
【００２８】
このことから本発明の差込式サイドレール装置では、サイドレールとボード間の隙間がなくなり、安全性が向上すると共に、サイドレールの端部がボードにより支持されるため、サイドレールのがたつきが低減される。
【００２９】
第２の差込支持部は、第２の支持棒体の差込支持位置を、ベッドの長手方向に複数配置することにより、ボードと差込支持部との相対的位置関係が異なる複数種類のベッドに対して使用が可能である。
【００３０】
次に、本発明の差込式サイドレール装置、特に、サイドレールの下側に支持棒体を突設すると共に、ベッド側に上記支持棒体を差し込んで支持する差込支持部を設けた構成において、ボードの側部にフック状部を構成し、サイドレールには、このフック状部に掛合する掛合部位を構成したものにおいては、サイドレールに突設した支持棒体をベッド側に設けた差込支持部に差し込んで支持すると共に、サイドレールに構成した掛合部位をボードの側部に設けたフック状部に合わせて掛合する。
【００３１】
こうすることにより、上述と同様に、サイドレールとボード間の隙間がなくなり、安全性が向上すると共に、サイドレールの端部がボードにより支持されるため、サイドレールのがたつきが低減される。
【００３２】
この構成においても掛合部位の長さを長く構成したり、掛合部位を複数構成することにより、ボードと差込支持部との相対的位置関係が異なるベッドに対して使用が可能である。
【００３３】
次に、本発明の差込式サイドレール装置、特に、サイドレールの下側に支持棒体を突設すると共に、ベッド側に上記支持棒体を差し込んで支持する差込支持部を設けた構成において、ボードの側部の床部側に、サイドレールの側部部位を装着する支持溝部を設けた構成においては、サイドレールに突設した支持棒体をベッド側に設けた差込支持部に差し込んで支持する際、サイドレールの側部部位をボードの側部に設けた支持溝部に合わせて掛合させる。
【００３４】
こうすることにより、上述と同様に、サイドレールとボード間の隙間がなくなり、安全性が向上すると共に、サイドレールの端部がボードにより支持されるため、サイドレールのがたつきが低減される。
【００３５】
支持溝部はボードの幅方向に対して複数構成したり、ベッドの長手方向に対して複数構成することにより、ボードと差込支持部との相対的位置関係が異なるベッドに対して使用が可能である。
【００３６】
支持溝部をボードの側部を貫く貫通長溝として構成して、この貫通長溝にサイドレールの側部部位を嵌合させる構成とした場合には、サイドレールの側部部位は支持溝部によって周囲を支持されるため、がたつき防止の作用、効果がより大きく、またボードと差込支持部との相対的位置関係が異なるベッドに対して使用が可能である。
【発明を実施するための最良の形態】
【００３７】
次に本発明のベッドの差込式サイドレール装置の実施の形態を添付図面を参照して説明する。
まず図１〜図３は本発明を適用した差込式サイドレール装置の第１の実施の形態を示す斜視図であり、ベッドの詳細な構成は省略して概念的に示している。
図において、符号１はベッド、２はそのヘッドボードであり、３はサイドレールを示すものである。サイドレール３は、下側に支持棒体４を突設して、ベッド１側に設けた差込支持部５に差し込んで支持する構成である。周知のように、差込支持部５はベッド１の床部６を支持するフレームや、それに突設した付属品受け７等に設けることができる。
【００３８】
本発明では、以上の構成において、ヘッドボード２の側部に第２の差込支持部８を設けると共に、この第２の差込支持部８に対応して、サイドレール３の側部に第２の支持棒体９を突設している。図に示すように、第２の差込支持部８は第１の差込支持部としての差込支持部５と同様に第２の支持棒体９の差込・抜取方向を上下方向に配置し、その上端を比較的高い位置に構成している。また、第２の差込支持部８は、第２の支持棒体９の差込支持位置８ａ，８ｂを、ベッド１の長手方向に複数、この場合、２個所配置している。
【００３９】
以上の構成においては、図１に示すように、サイドレール３に突設した支持棒体４をベッド１側に設けた差込支持部５に差し込んで支持する際に、サイドレール３に突設した第２の支持棒体９をヘッドボード２の側部に設けた第２の差込支持部８に同時に差し込んで支持する。
【００４０】
こうすることにより、図２に示すように、サイドレール３とヘッドボード２間の隙間がなくなり、安全性が向上すると共に、サイドレール３の端部がヘッドボード２により支持されるため、サイドレール３のがたつきが低減される。
【００４１】
この実施の形態においては、第２の差込支持部８は、第２の支持棒体９を差し込んで支持する差込支持位置８ａ，８ｂを、ベッド１の長手方向に２個所配置しているので、図２、図３に示すように、ヘッドボード２と差込支持部５との相対的位置関係が異なる２種類のベッドに対して使用が可能である。
【００４２】
次に図４〜図６は本発明を適用した差込式サイドレール装置の第２の実施の形態を示す斜視図であり、ベッドの詳細な構成は省略して概念的に示している。
この第２の実施の形態は、第１の実施の形態と比較して、第２の差込支持部８を、ヘッドボード２の側部の低い位置に構成し、従ってそれに対応してサイドレール３側の第２の支持棒体９を低い位置まで延長したことのみが相違し、その他の構成や動作は第１の実施の形態と同様であるので、対応する構成要件に同一の符号を付して重複する説明は省略する。
【００４３】
次に図７、図８は本発明を適用した差込式サイドレール装置の第３の実施の形態を示す斜視図であり、ベッドの詳細な構成は省略して概念的に示している。
この第３の実施の形態では、第２の差込支持部８は、ヘッドボード２の側部の床部６側に配置した上下方向の長穴として構成し、第２の支持棒体９は、サイドレール３の側部から、その長さ方向に横側に突設した構成としている。
【００４４】
以上の構成においては、図７に示すように、サイドレール３に突設した支持棒体４をベッド１側に設けた差込支持部５に差し込んで支持する際に、まず、サイドレール３に突設した第２の支持棒体９をヘッドボード２の側部に設けた第２の差込支持部８を構成する長穴の上部に差し込み、この状態でサイドレール３を下降して、支持棒体４を差込支持部５に差し込んで支持することができる。
【００４５】
この構成においても、図８に示すように、サイドレール３とヘッドボード２間の隙間がなくなり、安全性が向上すると共に、サイドレール３の端部がヘッドボード２により支持されるため、サイドレール３のがたつきが低減される。
【００４６】
この実施の形態においては、第２の支持棒体９の長さを長く構成すると共に、第２の差込支持部８は、ヘッドボード２の表裏側を貫通する長穴として構成したり、全体又は一部の厚みが厚く形成されたヘッドボード２において深い長穴として構成する等により、ヘッドボード２と差込支持部５との相対的位置関係が異なるベッドに対して使用が可能となる。
【００４７】
次に図９、図１０は本発明を適用した差込式サイドレール装置の第４の実施の形態を示す斜視図であり、ベッドの詳細な構成は省略して概念的に示している。
この第４の実施の形態では、第２の差込支持部８は、ヘッドボード２の側部の外側に配置し、第２の支持棒体９の差込・抜取方向を、ヘッドボード２の幅方向に配置すると共に、第２の支持棒体９は、サイドレール３の側部から、その長さ方向に直交する横側に突設した構成としている。
【００４８】
以上の構成においては、図９に示すように、サイドレール３に突設した支持棒体４をベッド１側に設けた差込支持部５に差し込んで支持する際に、まず、サイドレール３に突設した第２の支持棒体９をヘッドボード２の側部に設けた第２の差込支持部８を構成する長穴の上部に差し込み、この状態でサイドレール３を下降して、支持棒体４を差込支持部５に差し込んで支持することができる。
【００４９】
この構成においても、図１０に示すように、サイドレール３とヘッドボード２間の隙間がなくなり、安全性が向上すると共に、サイドレール３の端部がヘッドボード２により支持されるため、サイドレール３のがたつきが低減される。
【００５０】
この実施の形態においては、第２の差込支持部８は、ヘッドボード２の幅方向の深い長穴として構成し、第２の支持棒体９の長さを長く構成することにより、ヘッドボード２と差込支持部５により支持されたサイドレール３との、ヘッドボード２の幅方向の間隔が異なるベッド１に対して使用が可能となる。
【００５１】
次に図１１、図１２は本発明を適用した差込式サイドレール装置の第５の実施の形態を示す斜視図であり、これらの図においても上述と同様に、ベッドの詳細な構成は省略して概念的に示している。
この第５の実施の形態は、以上の実施の形態と同様に、サイドレール３の下側に支持棒体４を突設すると共に、ベッド１側に上記支持棒体４を差し込んで支持する差込支持部５を設けた構成において、ヘッドボード２の側部にフック状部１０を構成し、サイドレール３には、このフック状部１０に掛合する掛合部位１１を構成したものである。この場合、フック状部１０の掛合・解除方向は上下方向としており、またフック状部１０は、ヘッドボード２の側部にフック状部材を取り付けて構成している。
【００５２】
この構成においては、図１１に示すように、サイドレール３に突設した支持棒体４をベッド１側に設けた差込支持部５に差し込んで支持すると共に、サイドレール３に構成した掛合部位１１をヘッドボード２の側部に設けたフック状部１０に合わせて掛合する。
【００５３】
こうすることにより、図１２に示すように、サイドレール３とヘッドボード２間の隙間がなくなり、安全性が向上すると共に、サイドレール３の端部がヘッドボード２により支持されるため、サイドレール３のがたつきが低減される。
【００５４】
この実施の形態においては、掛合部位１１の長さを長く構成することにより、係合支持部１０と掛合する範囲が長くなり、ヘッドボード２と差込支持部５との相対的位置関係が異なるベッドに対して使用が可能である。
【００５５】
尚、この実施の形態においては掛合部位１１は、サイドレール３の他の部位よりも一段高くした構成としているが、通常のフレーム型のサイドレール３の上側の桟部材を、そのまま掛合部位１１として使用することもできる。
【００５６】
次に図１３、図１４は本発明を適用した差込式サイドレール装置の第６の実施の形態を示す斜視図であり、これらの図においても上述と同様に、ベッドの詳細な構成は省略して概念的に示している。
この第６の実施の形態は、第５の実施の形態と比較して、フック状部１０をヘッドボード２の側部自体に形成した点が相違し、その他の構成や動作は第５の実施の形態と同様であるので、対応する構成要件に同一の符号を付して重複する説明は省略する。
【００５７】
この実施の形態においても、掛合部位１１の長さを長く構成することにより、係合支持部１０と掛合する範囲が長くなり、ヘッドボード２と差込支持部５との相対的位置関係が異なるベッドに対して使用が可能である。
【００５８】
次に図１５〜図１７は本発明を適用した差込式サイドレール装置の第７の実施の形態を示す斜視図であり、これらの図においても上述と同様に、ベッドの詳細な構成は省略して概念的に示している。
この第７の実施の形態は、上記第５、第６の実施の形態とは異なり、フック状部は、その掛合・解除方向をベッドの長手方向に配置しており、またサイドレール３には、掛合部位１１ａ，１１ｂを、その長手方向の二個所に構成している。その他の構成や動作は第５の実施の形態と同様であるので、対応する構成要件に同一の符号を付して重複する説明は省略する。
【００５９】
この構成においては、サイドレール３に突設した支持棒体４をベッド１側に設けた差込支持部５に差し込んで支持する際に、支持棒体４を差込支持部５に位置合わせすると共に、サイドレール３に構成した掛合部位１１をヘッドボード２の側部に設けたフック状部１０に合わせてサイドレール３を下降すると、支持棒体４が差込支持部５に差し込まれて支持されると同時に、図１６又は図１７に示するように、サイドレール３の掛合部位１１ｂ又は掛合部位１１ａがフック状部１０に掛合して、サイドレール３が、ベッド１の長手方向の図中右方向に動いたり、ベッド１の幅方向に動くのを阻止することができる。
【００６０】
このようにこの実施の形態においても、サイドレール３とヘッドボード２間の隙間がなくなり、安全性が向上すると共に、サイドレール３の端部がヘッドボード２により支持されるため、サイドレール３のがたつきが低減される。
【００６１】
そしてこの実施の形態においては、掛合部位１１ａ，１１ｂはサイドレール３の幅方向に異なる２個所に構成しているため、ヘッドボード２と差込支持部５との相対的位置関係が異なる２種類のベッドに対して使用が可能となる。
【００６２】
次に図１８、図１９は本発明を適用した差込式サイドレール装置の第８の実施の形態を示す斜視図であり、これらの図においても上述と同様に、ベッドの詳細な構成は省略して概念的に示している。
この第８の実施の形態は、以上の実施の形態と同様に、サイドレール３の下側に支持棒体４を突設すると共に、ベッド１側に上記支持棒体４を差し込んで支持する差込支持部５を設けた構成において、ヘッドボード２の側部の床部６側に、サイドレール３の側部部位を装着する支持溝部１２を設けて構成している。この実施の形態においては、ヘッドボード２の側部の上部に、床部６方向に向かって溝部材１３を突出し、その先端側に支持溝部１２を構成している。
【００６３】
この構成においては、図１８に示すように、サイドレール３に突設した支持棒体４をベッド１側に設けた差込支持部５に差し込んで支持する際、サイドレール３の側部部位をヘッドボード２の側部に設けた支持溝部１２に合わせて掛合させる。
【００６４】
こうすることにより、図１９に示すように、サイドレール３とヘッドボード２間の隙間がなくなり、安全性が向上すると共に、サイドレール３の一部がヘッドボード２により支持されるため、サイドレール３のがたつきが低減される。
【００６５】
次に図２０は本発明を適用した差込式サイドレール装置の第９の実施の形態を概念的に示す要部平面図である。
この第９の実施の形態では、第８の実施の形態のように、ヘッドボード２の側部の床部６側に形成する支持溝部１２を、ヘッドボード２の幅方向にずらして２個所に構成している。即ち、支持溝部１２ｗ，１２ｎを設けている。
【００６６】
この構成においては、第８の実施の形態の作用、効果に加えて、床部６の幅が異なり、従ってヘッドボード２とサイドレール３の相対的位置関係が異なる２種類のベッド１に使用することができる。
【００６７】
次に図２１、図２２は本発明を適用した差込式サイドレール装置の第１０の実施の形態を概念的に示す要部断面図である。
この第１０の実施の形態では、第８の実施の形態のようにヘッドボード２の側部の床部６側に形成する支持溝部１２を、ヘッドボード２の幅方向と直交する方向にずらして２個所に構成している。即ち、この実施の形態では、溝部材１３は、浅いところの支持溝部１２ｓと深いところの支持溝部１２ｂを一体に形成した深溝の構成としている。
【００６８】
この構成においては、第８の実施の形態の作用、効果に加えて、床部６の長さが異なり、従ってヘッドボード２とサイドレール３の相対的位置関係が異なる２種類のベッド１に使用することができる。
【００６９】
次に図２３〜図２５は本発明を適用した差込式サイドレール装置の第１１の実施の形態を概念的に示す斜視図である。
この第１１の実施の形態では、第８の実施の形態のようにヘッドボード２の側部の床部６側に形成する支持溝部１２を、第１０の実施の形態と同様に、ヘッドボード２の幅方向と直交する方向にずらして２個所に構成している。即ち、この実施の形態では、溝部材１３は、背向する両側に支持溝部１２ｓと支持溝部１２ｂを一体に形成している。
【００７０】
この構成においては、第１０の実施の形態と同様に、床部６の長さが異なり、従ってヘッドボード２とサイドレール３の相対的位置関係が異なる２種類のベッド１に使用することができるのであるが、この実施の形態に適用できるサイドレール３において、支持溝部１２ｓを装着するサイドレール３の側部部位は、図２３、図２４に示すように棒体として構成する必要がある。
【００７１】
次に図２６〜図２８は本発明を適用した差込式サイドレール装置の第１２の実施の形態を概念的に示す要部断面図である。
この第１２の実施の形態では、第８の実施の形態のようにヘッドボード２の側部の床部６側に形成する支持溝部１２を、第１０の実施の形態及び第１１の実施の形態と同様に、第ヘッドボード２の幅方向と直交する方向にずらした２個所に構成可能としたものであるが、この実施の形態では、一方側にのみ支持溝部１２を形成した溝部材１３をヘッドボード２の側部に旋回可能に設けた構成である。
【００７２】
この構成においては、第１０の実施の形態と同様に、床部６の長さが異なり、従ってヘッドボード２とサイドレール３の相対的位置関係が異なる２種類のベッド１に使用することができるのであるが、この実施の形態に適用できるサイドレール３において、支持溝部１２ｓを装着するサイドレール３の側部部位は、第１１の実施の形態と同様に棒体として構成する必要がある。
【００７３】
次に図２９は本発明を適用した差込式サイドレール装置の第１３の実施の形態を概念的に示す斜視図である。
この第１３の実施の形態では、ヘッドボード２の側部の床部６側に形成する支持溝部１２を、第９の実施の形態のようにヘッドボード２の側部自体に形成しているが、支持溝部１２は、第９の実施の形態とは異なり、ヘッドボード２の側部を貫く貫通長溝として構成している。
【００７４】
この構成においては、図２９に示すように、ヘッドボード２はベッド１本体側のフレーム等に着脱可能に構成し、図中２点鎖線で示すように外している状態において、サイドレール３に突設した支持棒体４をベッド１側に設けた差込支持部５に差し込んで支持した後、サイドレール３の側部部位を支持溝部１２に嵌合しながら移動して上記フレームに支持する。
【００７５】
この構成においては、図２９に示すように、サイドレール３の側部部位は支持溝部１２によって周囲を支持されるため、他の実施の形態と比較してがたつき防止の作用、効果がより大きい。そして、この構成においてもヘッドボード２と差込支持部５との相対的位置関係が異なるベッドに対して使用が可能である。
【００７６】
尚、以上の説明では、本発明の差込式サイドレール装置は、ヘッドボードに対応して構成しているが、フットボードに対応して構成することもできることは勿論である。
【産業上の利用可能性】
【００７７】
本発明は以上の通りであるので、ボード、特に、ヘッドボードとの間に、身体が挟まれる危険性がある隙間を生じないようにすると共に、がたつきを軽減することができる差込式サイドレール装置を提供することができる。
【図面の簡単な説明】
【００７８】
【図１】本発明の差込式サイドレール装置の第１の実施の形態を概念的に示す斜視図である。
【図２】本発明の差込式サイドレール装置の第１の実施の形態を使用状態において概念的に示す斜視図である。
【図３】本発明の差込式サイドレール装置の第１の実施の形態を他の使用状態において概念的に示す斜視図である。
【図４】本発明の差込式サイドレール装置の第２の実施の形態を概念的に示す斜視図である。
【図５】本発明の差込式サイドレール装置の第２の実施の形態を使用状態において概念的に示す斜視図である。
【図６】本発明の差込式サイドレール装置の第２の実施の形態を他の使用状態において概念的に示す斜視図である。
【図７】本発明の差込式サイドレール装置の第３の実施の形態を概念的に示す斜視図である。
【図８】本発明の差込式サイドレール装置の第３の実施の形態を使用状態において概念的に示す斜視図である。
【図９】本発明の差込式サイドレール装置の第４の実施の形態を概念的に示す斜視図である。
【図１０】本発明の差込式サイドレール装置の第４の実施の形態を使用状態において概念的に示す斜視図である。
【図１１】本発明の差込式サイドレール装置の第５の実施の形態を概念的に示す斜視図である。
【図１２】本発明の差込式サイドレール装置の第５の実施の形態を使用状態において概念的に示す斜視図である。
【図１３】本発明の差込式サイドレール装置の第６の実施の形態を概念的に示す斜視図である。
【図１４】本発明の差込式サイドレール装置の第６の実施の形態を使用状態において概念的に示す斜視図である。
【図１５】本発明の差込式サイドレール装置の第７の実施の形態を概念的に示す斜視図である。
【図１６】本発明の差込式サイドレール装置の第７の実施の形態を使用状態において概念的に示す斜視図である。
【図１７】本発明の差込式サイドレール装置の第７の実施の形態を他の使用状態において概念的に示す斜視図である。
【図１８】本発明の差込式サイドレール装置の第８の実施の形態を概念的に示す斜視図である。
【図１９】本発明の差込式サイドレール装置の第８の実施の形態を使用状態において概念的に示す斜視図である。
【図２０】本発明を適用した差込式サイドレール装置の第９の実施の形態を概念的に示す要部平面図である。
【図２１】本発明を適用した差込式サイドレール装置の第１０の実施の形態を使用状態において概念的に示す要部断面図である。
【図２２】本発明を適用した差込式サイドレール装置の第１０の実施の形態を他の使用状態において概念的に示す要部断面図である。
【図２３】本発明の差込式サイドレール装置の第１１の実施の形態を概念的に示す斜視図である。
【図２４】本発明の差込式サイドレール装置の第１１の実施の形態を使用状態において概念的に示す斜視図である。
【図２５】本発明の差込式サイドレール装置の第１１の実施の形態を他の使用状態において概念的に示す斜視図である。
【図２６】本発明を適用した差込式サイドレール装置の第１２の実施の形態を概念的に示す要部断面図である。
【図２７】本発明を適用した差込式サイドレール装置の第１２の実施の形態を使用状態において概念的に示す要部断面図である。
【図２８】本発明を適用した差込式サイドレール装置の第１２の実施の形態を他の使用状態において概念的に示す要部断面図である。
【図２９】本発明の差込式サイドレール装置の第１３の実施の形態を使用状態において概念的に示す斜視図である。
【符号の説明】
【００７９】
１                    ベッド
２                    ヘッドボード
３                    サイドレール
４                    支持棒体（第１の支持棒体）
５                    差込支持部
６                    床部
７                    付属品受け
８                    差込支持部
８ａ，８ｂ          差込支持位置
９                    第２の支持棒体
１０                  フック状部
１１，１１ａ，１１ｂ  掛合部位
１２                  支持溝部
１３                  溝部材
【図１】
2010069180.tif 000003
【図２】
2010069180.tif 000004
【図３】
2010069180.tif 000005
【図４】
2010069180.tif 000006
【図５】
2010069180.tif 000007
【図６】
2010069180.tif 000008
【図７】
2010069180.tif 000009
【図８】
2010069180.tif 000010
【図９】
2010069180.tif 000011
【図１０】
2010069180.tif 000012
【図１１】
2010069180.tif 000013
【図１２】
2010069180.tif 000014
【図１３】
2010069180.tif 000015
【図１４】
2010069180.tif 000016
【図１５】
2010069180.tif 000017
【図１６】
2010069180.tif 000018
【図１７】
2010069180.tif 000019
【図１８】
2010069180.tif 000020
【図１９】
2010069180.tif 000021
【図２０】
2010069180.tif 000022
【図２１】
2010069180.tif 000023
【図２２】
2010069180.tif 000024
【図２３】
2010069180.tif 000025
【図２４】
2010069180.tif 000026
【図２５】
2010069180.tif 000027
【図２６】
2010069180.tif 000028
【図２７】
2010069180.tif 000029
【図２８】
2010069180.tif 000030
【図２９】
2010069180.tif 000031